(57)【要約】      （修正有）【課題】１つの流入口に対して２つの流出口を選択的に使用することができ、吐出形状と流路経路の切換え手段を一つの部品で行うことができ、従来に比べ低コストで製造できる蛇口用水流分岐具を提供する。【解決手段】蛇口用水流分岐具本体２の上部に設けられて蛇口に連通する流入口１と、流入口から水流分岐具本体に流入した水を水流分岐具本体の外へ流出させる２つの流出口４，５と、流入口と２つの流出口を結ぶ２つの流出経路のうち、いずれか１つの流出経路を選択的に連通させる流路切換手段と、を有する蛇口用水流分岐具において、流路切換手段は蛇口用水流分岐具本体下部の流出口に設けた流路切換手段を回動させて吐出形状及び流出経路の切換を行う回転部３を設けたことを特徴とする。【選択図】図１
0003188845.tif 000002
【実用新案登録請求の範囲】
【請求項１】
連結具本体の上部に設けられて蛇口に連通する流入口と、
前記流入口から前記前記連結具本体に流入した水を前記連結具本体の外へ流出させる２つの流出口と、
前記流入口と前記２つの流出口を結ぶ２つの流出経路のうち、いずれか１つの流出経路を選択的に連通させる流路切換手段と、を有する蛇口用水流分岐具において、
前記流路切換手段は蛇口用連結具本体下部の流出口に設けた流路切換手段を回動させて
流出経路の切換を行う回転部を設けたことを特徴とする蛇口用水流分岐具
【請求項２】
前記回転部の周囲を凹凸形状にしたことを特徴とする請求項１記載の蛇口用水流分岐具
【請求項３】
前記回転部は、２つの流出口のうち一方に導かれた水を複数の形態で下方へ吐出可能な吐出手段と流路切換機能を有することを特徴とする請求項１記載の蛇口用水流分岐具
【請求項４】
前記回転部の操作により、第一流出口に分岐、または第一流出口と第二流出口に同時に水の流路を切換可能にする流路切換え手段を有する請求項１ないし３記載の蛇口用水流分岐具
【請求項５】
前記流出水の形態は、直線状（ストレート状）、シャワー状、拡散状、霧状に調整あるいは切換可能な吐出あるいは流路切換手段を有することを特徴とする請求項４記載の蛇口用水流分岐具
【請求項６】
前記２つの流出口のうち他方の流出口は、前記連結具の側部に設けられ、散水用のホースに連結することを特徴とする請求項１記載の蛇口用水流分岐具
【考案の詳細な説明】
【技術分野】
【０００１】  本考案は、蛇口用水流分岐具に関し、特に、蛇口に連通する流入口と、２つの流出口とを有し、一方の流出口の流水形状をジェット形状、シャワー形状に切り換え可能とする蛇口用水流分岐具に関するものである。
【背景技術】
【０００２】  従来、ホース等を蛇口に連結するための水流分岐具が広く利用されている。蛇口用水流分岐具として、蛇口に連通する１つの流入口に対して２つの流出口を設け、分岐した２つの流出経路を切り換え手段（たとえば三方弁）で選択的に連通させる技術が知られている（たとえば、特許文献１参照）。【０００３】  この種の蛇口用水流分岐具を用いて、たとえば散水用のホースを蛇口に連結する場合、２つの流出口のうち、１つは散水用のホースに連結し、残る１つは単なる吐出口（水栓）として構成する。【０００４】そして、切り換ええ手段で２つの流路経路に切り換ええることにより、散水を行うときはホースへ水を送り、手足や物を洗うときは吐出口から水を出す。
すなわち、１つの蛇口から、ホースによる散水と通常の洗浄水とを選択的に得ることができる。
【先行技術文献】
【特許文献】
【０００５】
【特許文献１】特開平１０−２４７６号公報
【特許文献２】実用新案登録第３１７２６４３号公報
【特許文献３】特開平５−９９６０号公報
【考案の開示】
【考案が解決しようとする課題】
【０００６】  ところで、吐出口からの水は、手の洗浄の他、容器への注水など、用途は様々である。
このため、吐出される水には、用途に応じた形態が求められる。
たとえば、洗う面が広い場合には、水は太い形態（シャワー状）が好ましい。【０００７】また、口元の細い容器に水を注ぐ場合などは、水は細い形態（直線状）が望ましい。
また、ホース側への放水と同時に手を洗うために放出水を利用したいなどの様々な要求がある。【０００８】  一方、従来の蛇口用水流分岐具は、水流分岐具の流路を切り換ええる場合、操作用つまみで流路を切り換えていた。
しかし、手を洗うのに際し洗剤や石鹸が手のひらについていた場合には操作用つまみでは指先がすべるなどして流路切り換えが難しい場合があった。【０００９】  また、流路を切り換えた場合、従来から提案されている技術では散水用ホースに連結する流出口の流路から水が出る場合、もう一方の流出口からの流路が閉じられるので同時に利用できなかった。【００１０】  さらに、従来の技術では流出水の形態は、直線状（ストレート状）、シャワー状、拡散状、霧状に調整するために操作用つまみを利用していたので、微調整が難しかった。
また、操作つまみで流路の切り換えを行う場合、部品点数が多くなり、コスト高になっていた。【００１１】  本考案は、以上のような問題点を鑑みてなされたものであり、その目的は、１つの流入口に対して２つの流出口を選択的に使用することができ、しかも、流出口からの水の吐出形態を用途に応じて変更できる。
さらに水流の切り換えを一つの操作で行うことができるので、部品点数少なくすることができ、従来より安価に製造できる蛇口用水流分岐具を提供することを目的とする。
【課題を解決するための手段】
【００１２】  上記の目的を達成するため、本考案は、蛇口用水流分岐具本体の上部に設けられて蛇口に連通する流入口と、前記流入口から前記水流分岐具本体に流入した水を前記水流分岐具本体の外へ流出させる２つの流出口と、前記流入口と前記２つの流出口を結ぶ２つの流出経路のうち、いずれか１つの流出経路を選択的に連通させる流路切り換え手段と、を有する蛇口用水流分岐具において、前記流路切り換え手段は蛇口用水流分岐具本体下部の流出口に設けた流路切り換え手段を回動させて流出経路の切り換えを行う回転部を設けた蛇口用水流分岐具を提供する。【００１３】  前記回転部の周囲を凹凸形状にすることが望ましい。【００１４】  前記回転部は、２つの流出口のうち一方に導かれた水を複数の形態で下方へ吐出可能な吐出手段と流路切り換え機能を有する手段を備えている。【００１５】  前記回転部の操作により、第一流出口に分岐、または第一流出口と第二流出口に水の流路を切り換え可能にする流路切り換ええ手段を備えている。【００１６】  前記流出水の形態は、直線状（ストレート状）、シャワー状に調整あるいは切り換え可能な吐出あるいは流路切り換え手段を備えている。【００１７】  前記２つの流出口のうち他方の流出口は、前記連結具の側部に設けられ、散水用のホースに連結する構成になっている。
【考案の効果】
【００１６】  操作抵抗少なく円滑に流路切り換ええ操作ができ、流路切り換ええの種類も第一流出口だけでなく、第一流出口と第二流出口と同時に流出可能で、第二流出口での流出形状が直線状（ストレート状）、シャワー状に変更できる。
また、吐出流路及び吐出形状切り換え手段を一つの部品で変更可能なため、部品点数を削減でき、安価に製造可能になる。
【図面の簡単な説明】
【００１７】
【図１】実施の形態例に係る蛇口用水流分岐具の正面図
【図２】実施の形態例に係る蛇口用水流分岐具の側面図→後日、作成予定
【図３】実施の形態例に係る蛇口用水流分岐具の図１のＢＢ線視断面図
【図４】実施の形態例に係る蛇口用水流分岐具の図２のＢＢ線視断面図
【図５】蛇口用水流分岐具の実施の形態例に係る蛇口用水流分岐具の図１のＢＢ線視断面作用説明図であり、直線状に水を吐出する流路を示す図
【図６】蛇口用水流分岐具の実施の形態例に係る蛇口用水流分岐具の図１のＢＢ線視断面作用説明図であり、シャワー状に水を吐出する流路を示す図
【図７】蛇口用水流分岐具の実施の形態例に係る蛇口用水流分岐具の図１のＢＢ線視断面作用説明図であり、ホースに水を送る流路とシャワー状に水を吐出する流路を示す図
【図８】蛇口用水流分岐具の実施の形態例に係る蛇口用水流分岐具の図１のＢＢ線視断面作用説明図であり、ホースに水を送る流路を示す図
【考案を実施するための最良の形態】
【００１８】  図１から図８に本考案の形態例に係る蛇口用水流分岐具を示す。
図１は、蛇口用水流分岐具の正面図を示す。
本考案は、回転部（吐出流路及び吐出形状切り換え手段）を回動させ、弁を開閉する押し上げ部材を回転歯車で上下させて第一流出口（ホース側）への切り換え又は第二流出口の吐出形状を直線状（ストレート状）、シャワー状に変更あるいは、第一流出口あるいは第二流出口から同時に水を流出できるようにしたものである。【００１８】  本形態に係る蛇口用連結具６は、第一流出口（ホース側）と第二流出口（シャワー側）に分岐可能な本体２と、本体２を、流入口（蛇口）１に着脱可能に取付ける取り付け部８とからなり、第一流出口はニップル部１０を構成し、Ｏリング１１を介してホース（図示せず）と連結する。
第二流出口は回転操作可能な回動部３（吐出流路及び吐出形状切り換え手段）とを有する。
尚、図１中、符号９は、蛇口を挟持するために略１２０°の間隔で前記取り付け部８に配置され、各々径方向に沿って進退可能に螺着された３本の締付用螺子である。【００１９】  図２は、本体２の斜視図である。ニップル部１０にはＯリング１１を嵌め込み、ホースに連結する構造となっている。【００２０】  図３は、図１のＢＢ線断面図である。
蛇口用水流分岐具６は、第一流出口に流路を切り換える弁１４を圧縮ばね１３により、押圧され第一流出口に水が流れることはないが、回転部３（吐出流路及び吐出形状切り換え手段）を回動させることにより、回転部３に連動して動く回転歯車１７（図示しないが回転するに従い、凹凸を有している）が押上げ部材１５を上下させる。
上に押上げられた押上げ部材１５は、傾斜した部分を持つ弁１４を押上げ、流出室１６が広がり、流出室が広がることによってそこから水が流入して第一流出口に水が流出する。【００２１】  図４は、図２のＢＢ線断面図である。
第一流出口を開閉する弁１４は、圧縮ばね１３によって押圧され押上げ部材１５が下にある場合は、第一流出口に水が流入しないように閉じている。
回転部３（吐出流路及び吐出形状切り換え手段）を回動させることにより、回転部３に連動する回転歯車１７により押上げ部材１５を上下させる。
回転歯車１７には、水が流入する流通孔１８が嵌合されており、回転部３の小孔２０の位置と流通孔１８の位置とが一致するとシャワー形状になる。
回転部３の中孔１９の位置と流通孔１８の位置とが重なり、流路が一致することでジェット（直線状）形状に切り換ええ可能となる。
【実施例】
【００２２】  図５から図８に蛇口用水流分岐具の実施の形態例に係る蛇口用水流分岐具の図１のＢＢ線視断面作用説明図を示す。
図５から図８に示すように、取り付け部８の上縁部の一部は切り欠いた切欠部７を有し、流入口（蛇口）１に蛇口用分岐器具６を取り付けた際に、流入口（蛇口）１の先端が下向きに屈折する根元部分の下面に係合して、流入口（蛇口）１と確実に取り付けることができる。【００２３】  図５は、蛇口用水流分岐具の実施の形態例に係る蛇口用水流分岐具の図１のＢＢ線視断面作用説明図であり、直線状に水を吐出する流路を示す図である。
本形態例に係る蛇口用水流分岐具６の取り付け部８は、流入口（蛇口）１に取付けた際に、流入口（蛇口）が取り付け部８に嵌合されている弾性筒体２１に接触するようにして水密性を確保できるようにする。【００２４】  締付用螺子９で螺着された本体は、弾性筒体により流入口（蛇口）から入った水の水密性をあげ、逆流を防いでいる。本体２は、切欠き部７を持った取り付け部８に流入口（蛇口）を取り付け、締付用螺子９で螺着する。【００２５】  本体２の下部には、回転部３（吐出流路及び吐出形状切り換え手段）を有し、本体２を片手で掴んで一方の手で回転部３を４５°回動させてジェット（直線状）、シャワー形状、シャワー形状と第一流出口及び第一流出口のみ流出するよう切り換えできるようにした。【００２６】  ジェット（直線形状）形状は、図５に示すように回転部３（吐出流路及び吐出形状切り換え手段）を回動させることにより、回転部の嵌合している回転歯車１７により押上げ部材が下がる。押上げ部材が下がることにより、圧縮ばねにより弁１４は、第一流出口４を閉じる。
流入口から流入した水は、流通孔１８と回転部３の中央孔１９に水の流路が形成されジェット形状になって、第二流出口４から流出する。【００２７】  シャワー形状は、図６に示すように回転部３（吐出流路及び吐出形状切り換え手段）を回動させることにより、回転部の嵌合している回転歯車１７により押上げ部材が下がる。
押上げ部材が下がることにより、圧縮ばね１３により弁１４は、第一流出口４を閉じる。
流入口から流入した水は、流通孔１８と回転部３の小孔２０に水の流路が形成され、シャワー形状になって、第二流出口４から流出する。【００２８】  第一流出口とシャワー形状を同時に使用可能にする場合は、図７に示すように回転部３（吐出流路及び吐出形状切り換え手段）を回動させることにより、回転部の嵌合している回転歯車１７により押上げ部材１５を上げる。
押上げ部材１５は、弁１４の傾斜部分を押上げ、流出室１６が開き、第一流出口４に通じる流路ができる。
また、第二流出口５では、流通孔１８と回転部３の小孔２０に水の流路が形成され、シャワー形状になって、第二流出口４から流出する。【００２９】  第一流出口４に切り換ええる場合は、図８に示すように回転部３（吐出流路及び吐出形状切り換え手段）を回動させることにより、回転部の嵌合している回転歯車１７により押上げ部材１５を上げる。
押上げ部材１５は、弁１４の傾斜部分を押上げ、流出室１６が開き、第一流出口４に通じる流路ができる。尚、第二流出口４では、流通孔１８と回転部３の中孔１９または小孔２０に水の流路が形成されないので、水の流出はない。【００３０】  回動部３（吐出流路及び吐出形状切り換え手段）には、確実に回動できるように凹凸の滑り止め形状または溝形状に加工してあることが望ましい。【００３１】  以上、実施形態を用いて本考案を説明したが、本考案の技術的範囲は上記実施形態に記載の範囲に限定されないことは言うまでもない。
上記実施形態に、多様な変更または改良を加えることが可能であることが当業者に明らかである。
またその様な変更または改良を加えた形態も本考案の技術的範囲に含まれ得ることが、実用新案登録請求の範囲の記載から明らかである。【００３２】  たとえば、実施形態では、吐出形状はシャワー形状以外にも拡散状あるいは霧状に変更可能で、その構成は任意である。
【符号の説明】
【００３３】１：流入口（蛇口）
２：本体
３：回転部（吐出流路及び吐出形状切り換え手段）
４：第一流出口（ホース側）
５：第二流出口（シャワー側）
６：蛇口用連結具
７：切欠き部
８：取り付け部
９：締付用螺子
１０：ニップル部
１１：Ｏリング
１２：支持部
１３：圧縮ばね
１４：弁
１５：押上げ部材
１６：流出室
１７：回転歯車
１８：流通孔
１９：中孔
２０：小孔
２１：弾性筒体
【図１】
0003188845.tif 000003
【図２】
0003188845.tif 000004
【図３】
0003188845.tif 000005
【図４】
0003188845.tif 000006
【図５】
0003188845.tif 000007
【図６】
0003188845.tif 000008
【図７】
0003188845.tif 000009
【図８】
0003188845.tif 000010